(57)【要約】【課題】床面に対して壁面が傾斜している室内に間仕切りパネルを取り付ける場合に、簡単な取り付け作業で間仕切りパネル端部と壁面の隙間を確実に塞ぎ、壁面を見栄え良く形成する。【解決手段】壁面（Ｗ）と間仕切りパネル（Ｐ）端部を接続するにあたり、断面略Ｕ字形の型材（１）を開口面を室内に向けて壁面（Ｗ）に沿って上下方向に固定し、この型材（１）らネジ棒（４）を水平に突出させ、このネジ棒（４）に断面略Ｕ字形の型材（２）を型材（１）と向かい合わせに装着して壁面（Ｗ）の上下位置で型材（１、２）の出入りをネジ棒（４）において調整し、型材（２）の背面に支柱（８）を取り付け、支柱（８）に間仕切りパネル（Ｐ）端部を固定する。【選択図】図３
2007169962.tif 000002
【特許請求の範囲】
【請求項１】
壁面（Ｗ）と間仕切りパネル（Ｐ）端部との接続構造であって、
断面略Ｕ字形の型材（１）を開口面を室内に向けて壁面（Ｗ）に沿って上下方向に固定し、
この型材（１）からネジ棒（４）を水平に突出させ、
このネジ棒（４）に断面略Ｕ字形の型材（２）を型材（１）と向かい合わせに装着して、壁面（Ｗ）の上下位置で型材（１、２）の出入りをネジ棒（４）に沿って調整し、
型材（２）の背面に支柱（８）を取り付け、
支柱（８）に間仕切りパネル（Ｐ）端部を固定することを特徴とする間仕切りパネル端部の接続構造。
【請求項２】
型材（２）の外面に被せた化粧材（７、７ａ）を支柱（８）とともに固定することを特徴とする請求項１に記載の間仕切りパネル端部の接続構造。
【発明の詳細な説明】
【技術分野】
【０００１】
本発明は、室内を適宜な大きさの空間に仕切るために設置される間仕切りパネルの端部を壁面に接続する構造に関する。
【背景技術】
【０００２】
壁面が床に対して斜めに傾いている室内の空間を間仕切りパネルで仕切る場合、間仕切りパネルの端部と壁面の間に生じる隙間を塞ぐ加工が必要となる。傾斜した壁面と間仕切りパネル端部との隙間を閉鎖する手段として、図５に示されるように、間仕切りパネルＰと壁面Ｗの間に、壁面Ｗに固定する壁面部材ＷＰと一側の側面が凹状に切り欠かれていて当該凹状部分にコイル状スプリングＳを配した補助パネルＰＡを設置し、壁面部材ＷＰの斜めに傾いた端面を補助パネルＰＡの凹状部分に嵌め入れてスプリングＳに接合させることで、補助パネルＰＡ内で傾斜を吸収して閉鎖する構成のものが知られている（例えば特許文献１参照）。
【０００３】
【特許文献１】特開平９−１５８３７０号公報
【発明の開示】
【発明が解決しようとする課題】
【０００４】
前記図示した隙間閉鎖手段は、壁面部材ＷＰを補助パネルＰＡ内部でスプリングＳを介して受ける機構が複雑であり、スプリングＳを内部に装填した補助パネルＰＡの形成にもコストを要する。
また、間仕切りパネルＰとは別に壁面部材ＷＰと補助パネルＰＡを必要とし、これらの部材が、室内に設置する間仕切りパネルＰとは色調や装飾が異なっていたのでは目立ってしまい、間仕切りパネルＰで形成した壁面の見栄えが悪くなる。
通常、間仕切りパネルＰは様々な色や形状、装飾デザインのものが取り揃えられ、これらの中から室内の色調や利用用途などに応じて使用する間仕切りパネルＰが選択されるが、壁面部材ＷＰと補助パネルＰＡも間仕切りパネルＰと同じ装飾デザインのものを取り揃えたのではコストがかかってしまう。
一方、壁面部材ＷＰと補助パネルＰＡに応じて使用する間仕切りパネルＰが決定されるのでは、間仕切りパネルＰで形成できる壁面のデザインが制限され、利用者の多様な用途で室内を仕切らんとするニーズに応えることができない。
【０００５】
本発明は従来技術の有するこのような問題点に鑑み、床面に対して壁面が傾斜している室内に間仕切りパネルを取り付ける場合であっても、使用する間仕切りパネルを制限することなく、簡単な取り付け作業で間仕切りパネル端部と壁面の隙間を確実に塞ぎ、壁面を見栄え良く形成することを課題とする。
【課題を解決するための手段】
【０００６】
前記課題を解決するため、本発明は、壁面（Ｗ）と間仕切りパネル（Ｐ）端部との接続構造であって、断面略Ｕ字形の型材（１）を開口面を室内に向けて壁面（Ｗ）に沿って上下方向に固定し、この型材（１）からネジ棒（４）を水平に突出させ、このネジ棒（４）に断面略Ｕ字形の型材（２）を型材（１）と向かい合わせに装着して、壁面（Ｗ）の上下位置で型材（１、２）の出入りをネジ棒（４）に沿って調整し、型材（２）の背面に支柱（８）を取り付け、支柱（８）に間仕切りパネル（Ｐ）端部を固定することを特徴とする。
前記構造において、型材（２）の外面に化粧材（７、７ａ）を被せ、これを支柱（８）とともに固定することができる。
なお、型材同士の出入りの調整は、ネジ棒に型材の一方のみを取り付けた状態で行っても、両方の型材を取り付けた状態で行っても何れでもよく、ネジ棒に型材を取り付ける前後何れのときでも行うことができる。
【０００７】
本発明によれば、型材同士を接合し噛み合わせの出入りを調整することで、壁面と間仕切りパネル端部の間隙幅が調整され、壁面が傾斜していても型材同士の出入りを傾斜面に沿って斜めに設定することで、間仕切りパネル端部との隙間を確実に閉鎖することができる。型材を組み合わせて隙間を閉鎖しているので構成が単純でコストがかからず、また、型材の外面を化粧材で覆えば、設置する間仕切りパネルに対応させて、壁面の端部部分を見栄え良く綺麗に収めることができる。
【発明を実施するための最良の形態】
【０００８】
本発明の好適な一実施形態を図面を参照して説明する。
図１は本発明の一実施形態により室内に設置された間仕切りパネル端部と壁面との接続状態を示した図、図２は壁面に型材を固定した状態を示した図、図３は図２のIII−III線に沿った断面で間仕切りパネル端部を接続する工程を示した図、図４は同じく断面で間仕切りパネル端部を接続する他の工程を示した図であり、図中、符号Pは間仕切りパネル、Ｗは壁面、Ｆは床面、Ｃは天井を示している。なお、各図では、間仕切りパネルＰの上下端部に取り付けられる巾木とカバー材の図示を省略してある。
【０００９】
本形態の接続構造は、図１に示されるように、床面Ｆに対して傾斜した壁面Ｗと間仕切りパネルＰの端部の間に長尺な二つの型材１、２を設置し、両型材の出入りを調整することで壁面Ｗと間仕切りパネルＰの端部間の隙間を閉鎖する構成のものである。
【００１０】
より詳しくは、型材１、２はともに略Ｕ字形の断面を呈して間仕切りパネルＰと略同じ高さ寸法に形成されており、それぞれ互いに開口面を向かい合わせに突き合わせると、型材１が型材２の中に嵌まり込んで重なり、型材１の両側面は型材２の両側面で覆い隠れる大きさに設けてある。
【００１１】
壁面Ｗと間仕切りパネルＰの接続は、図２に示されるように、壁面Ｗの上下方向に沿って型材１を取り付けることから行われる。なお、図２中の矢符III−III線に沿った断面を図３に示し、同図を用いて以降の施工工程を説明する。
【００１２】
図３において、先ず、型材１の取り付けは、その開口面を室内側に向けて壁面Wにあてがった状態でビス３、３を打ち込み固定して行う（同図（Ａ））。
【００１３】
次いで、固定された型材1内に、座４ａ上にボルト４ｂを突出させてなるネジ棒４を同じくビス３で固定して、型材１からネジ棒４を水平に突出させる（同図（Ｂ））。ネジ棒４は、型材１内で上部と下部に適宜な間隔を開けて複数を固定しておく。
【００１４】
固定されたネジ棒４には、ナット５とワッシャ６を挿通する（同図（Ｃ））。ワッシャ６は型材２が接合して鉛直に支持するための部材であり、上下のネジ棒４に挿通されたワッシャ６、６の位置は、水準器などを用いて、それぞれ上下が同一鉛直線上に揃うように各ネジ棒４に沿って正確に位置を調整し、ナット５で各々位置決めしておく。
【００１５】
上下のネジ棒４に挿通させたワッシャ６、６が同一鉛直線上に揃うように調整したならば、型材２にネジ棒４が貫通するボルト挿通孔を形成し、型材２をその開口面を型材１と向い合わせに向けてボルト挿通孔にネジ棒４を通し、ワッシャ６、６に型材２の表面を接合させて取り付ける（同図（Ｄ））。ネジ棒４で型材２を支持した状態で、壁面Ｗに沿って傾斜して取り付けられた型材１に対し、型材２は鉛直状に固定され（図１、２参照）、また、型材２の両側面が型材１の両側面の外側に被さり、型材１の両側面は型材２の両側面で覆われる。
【００１６】
さらに、同様にして、型材２の外面を覆う化粧材７をネジ棒４に取り付けるとともに間仕切りパネルＰの支柱８を化粧材７に重ねてネジ棒４に取り付け、これらネジ棒４に取り付けた部材をナット９で一体に固定する（同図（Ｅ））。
【００１７】
そして、型材１、２に連結した支柱８に沿って間仕切りパネルＰ、Ｐを順次取り付け固定することで、傾斜した壁面Ｗを仕切って、間仕切りパネルＰによる壁面が室内に形成される。
【００１８】
なお、図３に示した形態では、型材２の外形と同形状の化粧材７を取り付けて型材２の外面を覆ったが、化粧材７を取り付けずに、型材２の背面に支柱８を直に固定して間仕切りパネルＰを設置するようにしてもよい。
また、間仕切りパネルＰの装飾デザインが表裏両側で異なる場合に、両デザインに対応した装飾が施された化粧材７ａを型材２に取り付けることもできる。
この場合、図４に示されるように、型材２の背面に支柱８を取り付け、ナット９でこれを固定した後（同図（Ａ））、型材２と支柱８の表面を覆う形状の化粧材７ａ、７ａを型材２の表裏両側に装着し、それぞれビス３で支柱８に固定し（同図（Ｂ））、その後、支柱８に沿って間仕切りパネルＰ、Ｐを順次取り付け固定することができる（同図（Ｃ））。
【００１９】
このように本発明の接続構造によれば、簡単な取り付け作業で間仕切りパネル端部と壁面の隙間を確実に塞ぎ、壁面を見栄え良く形成することができる。また、本発明の接続構造は、型材を組み合わせて隙間を閉鎖しているので構成が単純でコストがかからず、設置する様々な装飾デザインの間仕切りパネルの使用に対応が可能である。
【図面の簡単な説明】
【００２０】
【図１】本発明の一実施形態により室内に設置された間仕切りパネル端部と壁面との接続状態を示した図である。
【図２】壁面に型材を固定した状態を示した図である。
【図３】図２のIII−III線に沿った断面で間仕切りパネル端部を接続する工程を示した図である。
【図４】図２のIII−III線に沿った断面で間仕切りパネル端部を接続する他の工程を示した図である。
【図５】（Ａ）、（Ｂ）は従来の間仕切りパネルの端部接続構造の構成を示した図である。
【符号の説明】
【００２１】
１、２  型材、３  ビス、４  ネジ棒、５  ナット、６  ワッシャ、７、７ａ  化粧材、８  支柱、９  ナット、P  間仕切りパネル、Ｗ  壁面、Ｆ  床面、Ｃ  天井
【図１】
2007169962.tif 000003
【図２】
2007169962.tif 000004
【図３】
2007169962.tif 000005
【図４】
2007169962.tif 000006
【図５】
2007169962.tif 000007